(57)【要約】【課題】装置内に起電力発生手段を組み込み、マッサージをする毎に発電できる機構とすることで、場所、時間気にせず美容処理を行える美容処理装置を提供する。【解決手段】美容処理装置が、支持杆と支持杆に接続されるグリップと支持杆に同軸的かつ回転自在に被嵌され美容処理対象の肌面上を転動される筒状のヘッドとヘッドの回転により電力を発生する電力発生手段とヘッドに配置され前記電力発生手段によって発電された電力に基づき皮膚を刺激する皮膚刺激手段とを具備する。【選択図】図１
2008264507.tif 000002
【特許請求の範囲】
【請求項１】
支持杆と、
前記支持杆に接続されるグリップと、
前記支持杆に同軸的かつ回転自在に被嵌され美容処理対象の肌面上を転動される筒状のヘッドと、
前記ヘッドの回転により電力を発生する電力発生手段と、
前記ヘッドに配置され、前記電力発生手段によって発電された電力に基づき皮膚を刺激する皮膚刺激手段と、
を具備することを特徴とする美容処理装置。
【請求項２】
前記皮膚刺激手段が、皮膚に対して光を照射する光照射手段および・または皮膚に対して電流を流す電極であることを特徴とする請求項１に記載の美容処理装置。
【請求項３】
前記皮膚刺激手段が、前記電力を熱に変換する手段と、
前記変換された熱により焦電する焦電部材または前記変換された熱により導電性が変化する部材と
を有することを特徴とする請求項１または２に記載の美容処理装置。
【請求項４】
前記電力発生手段が、コイルと、
永久磁石と
を有することを特徴とする請求項１ないし３いずれか１項に記載の美容処理装置。
【請求項５】
前記電力発生手段が、前記グリップまたはヘッド内に配置されることを特徴とする請求項４記載の美容処理装置。
【請求項６】
前記電力発生手段が、前記ヘッドの回転を振動に変換する振動変換手段と、
前記変換された振動に基づいて電力を発生させる圧電素子と
を有することを特徴とする請求項１ないし３いずれか１項に記載の美容処理装置。
【請求項７】
前記グリップが、握りバーと、前記握りバーの握り操作を回転力に変換する変換手段とを有し、
前記電力発生手段が、前記変換された回転力により電力を発生する
ことを特徴とする請求項１ないし６いずれか１項に記載の美容処理装置。
【請求項８】
前記電力発生手段で発生した電力を蓄電するための蓄電手段を備えることを特徴とする請求項１ないし７いずれか１項に記載の美容処理装置。
【請求項９】
前記美容処理対象の肌面上を転動し、前記グリップの一端部に配置される球状部材をさらに備えること
を特徴とする請求項１ないし８いずれか１項に記載の美容処理装置。
【請求項１０】
前記ヘッドよりも前記美容処理対象の肌面の熱を吸収する部材で前記球状部材が形成されることを特徴とする請求項９記載の美容処理装置。
【請求項１１】
前記球体の直径が１０ｍｍ以上２０ｍｍ以下であることを特徴とする請求項９または１０に記載の美容処理装置。
【請求項１２】
前記グリップの一端部に配置され、前記美容処理対象の肌面上を一軸方向に転動する棒状部材をさらに備えること
を特徴とする請求項１ないし１１いずれか１項に記載の美容処理装置。
【請求項１３】
前記棒状部材がプラチナ、チタン、金、銀の表面コートを有すること
を特徴とする請求項１２記載の美容処理装置。
【請求項１４】
前記棒状部材が、この棒状部材の先端に向かって縮径する縮径部を備えることを特徴とする請求項１２または１３に記載の美容処理装置。
【請求項１５】
前記棒状部材の直径が８ｍｍ以上１８ｍｍ以下であることを特徴とする請求項１２ないし１４のいずれか１項に記載の美容処理装置。
【発明の詳細な説明】
【技術分野】
【０００１】
本発明は、美容処理を行うことのできる美容処理装置に関する。
【背景技術】
【０００２】
従来から、光を肌に照射して美容効果を得る美容処理装置として、特定波長の光を肌に向かって放射する発光ダイオードを点灯させるようにしたものが知られている（例えば、特許文献１参照）。
発光ダイオードの電源としては、乾電池等の一次電池や商用電源によって充電される二次電池が用いられている。
【０００３】
また、商用電源を電源として低周波パルス電流を発生させ、この低周波パルス電流を肌に接触させた電極に供給してパルス電流を肌に通電させるようにした美容処理装置も知られている（例えば、特許文献２参照）。
【特許文献１】特開２００５−１２５０７５号公報
【特許文献２】特開２００３−９３４６２号公報
【発明の開示】
【発明が解決しようとする課題】
【０００４】
このような美容処理装置は、使用者が美容処理を行いたいと思った時すぐにそして簡単に美容処理を行えるものが望まれる。
【０００５】
しかし、従来の特定波長域の光を放射する美容処理装置では、電池を必要とするため、電池切れでいざ美容処理を行おうと思ったとき美容処理装置が使えない場合があった。電池の取り換えや再充電が面倒で結果的に美容処理装置が使われなくなってしまうという畏れがあった。
【０００６】
また、商用電源を使用し、美容処理装置では、例えば屋外のようなコンセントが無い場所では使用することができず使用者が美容処理を行いたいと思った時すぐの役には立たない。
【０００７】
本発明は、上記の問題を解決するためになされたもので、美容処理装置が電力発生手段を備え、いつでもどこでも簡単にしかも経済的に美容処理を行うことのできる美容処理装置を提供することを目的とする。
【課題を解決するための手段】
【０００８】
上記の目的を解決するために、本発明の美容処理装置の一つの形態は、支持杆と、
前記支持杆に接続されるグリップと、前記支持杆に同軸的かつ回転自在に被嵌され美容処理対象の肌面上を転動される筒状のヘッドと、前記ヘッドの回転により電力を発生する電力発生手段と、前記ヘッドに配置され、前記電力発生手段によって発電された電力に基づき皮膚を刺激する皮膚刺激手段とを具備することを特徴とする。
【発明の効果】
【０００９】
本発明の美容処理装置は、美容処理装置が電力発生手段を備え、いつでもどこでも簡単にしかも経済的に美容処理を行うことができる。
【発明を実施するための最良の形態】
【００１０】
以下、本発明の一態様にかかる実施の形態を図面を参照して詳細に説明する。
（第１実施形態）
図１は本発明の第１実施形態の美容処理装置１００の分解図である。図２は図１の美容処理装置１００に発光ダイオード（以下、ＬＥＤと称す。）９を装着して示す拡大斜視図である。
【００１１】
この実施形態の美容処理装置１００は図１および図２に示すように使用者に握持されるグリップ１０と、このグリップ１０の一端に設けられた、電力発生手段の一部であるコイルユニット２０と、このコイルユニット２０を被嵌して回転自在に設けられる電力発生手段の他部であるヘッド３０とから主に構成されている。
【００１２】
グリップ１０は断面８角状に形成された多角柱状をなしており、使用者が握持するための握持部１１と、この握持部１１の一端に同軸的に突設された支持杆としての支持部材１２とを有している。グリップ１０は例えばＡＢＳ樹脂（Acrylonitrile・Butadiene・Styrene樹脂）で形成される。
グリップ１０の形状は多角柱状とすることが望ましいが特に限定されず例えば円柱状にすることも可能である。
コイルユニット２０は支持部材１２の一端側にヘッド３０をスムーズに回転させるための一対のベアリング１３に挟まれて設けられている。
【００１３】
コイルユニット２０内部には図示は省略したが、鉄心と呼ばれているコアと、このコアに巻かれた電磁コイルと、電磁コイルに流れた交流電流を整流するためのコミュテータとが設けられている。
コアは電磁コイルに電流が流れた際に、この電流によって発生する磁力を効率よく流すための磁力の通り道として機能する。コミュテータは電磁コイルに流れる交流電流を直流電流に整流する整流子と呼ばれる部材である。
【００１４】
ヘッド３０はグリップ１０と同様に断面８角状に形成されている。ヘッド３０は、コイルユニット２０およびベアリング１３が設けられた支持部材１２の一端を被嵌するための孔３１を一端部に有している。
ヘッド３０の使用者の肌面上を転動される外周面には、皮膚刺激手段としてのＬＥＤ４０を装着するための取付孔３２が多数設けられている。
【００１５】
この取付孔３２に外側に向かって光を放射するように装着される多数のＬＥＤ４０は、ヘッド３０内において蓄電手段としての充電池３３と電気的に接続される。ＬＥＤ４０は充電池３３から電力を供給されて発光し、使用者の皮膚に対して光を照射する光照射手段として機能する。
ＬＥＤ４０は汎用のＬＥＤを用いることが望ましいがこれに限定されることなく、汎用のＬＥＤよりも高輝度の光を照射可能な高輝度ＬＥＤを使用することができる。
【００１６】
ＬＥＤ４０は、例えば青、赤、黄色のいずれかで発光する。
充電池３３はヘッド３０内の任意の場所に設置されてＬＥＤ４０に電力を供給する電源として機能する。充電池３３はＬＥＤ４０に電力を供給可能ならば特に限定されず例えばリチウムイオンなどの２次電池やキャパシターなど種々のものが適用できる。
【００１７】
ヘッド３０内には充電池３３のほかにも、孔３１を囲むように多数の永久磁石３４が設けられている。この永久磁石３４と、孔３１に挿入されたコイルユニット２０との間で断続的に磁束が鎖交することで電磁誘導がおきコイルユニット２０内の電磁コイルに交流電流が流れる。
【００１８】
電磁コイルに流れた交流電流はコミュテータ（図示せず）によって整流され、孔３１の底部に設けられた一対のブラシ３５を介して充電池３３に供給される。
ブラシ３５は、カーボン又は貴金属などの特殊合金で構成される矩形状の金属板である。ブラシ３５とコミュテータは摺動接触によって電気的に接続される。
次に、以上のように構成される本発明の美容処理装置１００による発電について説明する。
【００１９】
ヘッド３０が、支持部材１２の一端に被嵌された状態で使用者の肌面上を転動されたとき、支持部材１２の一端に設けられたベアリング１３とヘッド３０に設けられた孔３１との間で回転が起きる。結果としてコイルユニット２０とヘッド３０との間で回転が起きることになる。
コイルユニット２０とヘッド３０との間で回転が起きたときには、ヘッド３０内に設けられた永久磁石３４と、孔３１に挿入されたコイルユニット２０との間で断続的に磁束が鎖交し電磁誘導によって電力が発生する。このことによりコイルユニット２０内にに交流電流が流れる。
【００２０】
電磁コイルに流れる交流電流は図示はしないコミュテータによって整流され、ブラシ３５を介して電気的に接続された充電池３３に供給され、この充電池３３によって蓄電される。すなわちヘッド３０が回転しているときは常に発電と蓄電が行われていることになる。換言すればヘッド３０の回転を止めれば発電と蓄電を停止することができる。
なお、ヘッド３０の回転を逆転させると逆起電力が発生して、充電池３３の劣化などの不具合が起きてしまう畏れがある。そこで、逆起電力が発生しても不具合が起きないようにブラシ３５と充電池３３との間にダイオードなどの電子部品からなる回路装置を設けることが望ましい。
【００２１】
このような回路装置を設けた場合の電流の流れを図３に示す。すなわち図３は、ブラシ３５と充電池３３との間に回路装置を設けた場合の充電池３３に供給される電流の流れを示す図である。
図３（ａ）は使用者が任意の一方向にヘッド３０を回転させたときに流れる電流の流れを示している。コイルユニット２０（図示せず。）とヘッド３０（図示せず。）との相対的な回転によってブラシ３５の一方にはプラスの電圧が、他方にはマイナスの電圧がそれぞれ印加される。
【００２２】
ブラシ３５間には回路装置と充電池３３とで閉回路が形成されるため、プラスの電圧が印加された一方のブラシ３５からマイナスの電圧が印加された他方のブラシ３５へと電流が流れる。結果的に電流は充電池３３に供給されることになり、充電池３３によって蓄電される。
図３（ｂ）は図３（ａ）とは逆方向にヘッド３０を回転させたときに流れる電流の流れを示す図である。図３（ｂ）に示すブラシ３５には図３（ａ）に示した電圧とは逆の電圧が印加される。
【００２３】
すなわち、図３（ａ）においてプラスの電圧が印加されていた一方のブラシ３５にはマイナスの電圧が、マイナスの電圧が印加されていた他方のブラシ３５にはプラスの電圧がそれぞれ印加されることになる。
ブラシ３５間には回路装置と、充電池３３とで閉回路が形成されるためプラスの電圧が印加された一方のブラシ３５からマイナスの電圧が印加された他方のブラシ３５へと電流が流れる。すなわち、図３（ａ）とは逆方向に電流が流れることになる。
【００２４】
しかしながら充電池３３に供給される電流は、回路装置に設けられたダイオードによって図３（ａ）と同方向に流れる。
このことにより、ヘッド３０とコイルユニット２０との相対的な回転の回転方向にかかわりなく、充電池３３には絶えず一定方向から電流が供給される。なお、回路装置はダイオードに換えて、トランジスタや抵抗など種々の電子部品を適宜組み合わせて構成することもできる。
【００２５】
充電池３３による蓄電が一定量に達すると、充電池３３と電気的に接続されたＬＥＤ４０に電流が流れＬＥＤ４０が発光する。なお、充電池３３とＬＥＤ４０との間に使用者が任意にＯＮ・ＯＦＦの操作が可能なスイッチを設けてもよい。使用者がスイッチのＯＮ操作を行うことによってＬＥＤ４０に充電池３３の電力が供給される。
スイッチを設けることで、美容処理を行う前にあらかじめ充電池３３に電気を蓄電しておくことができ、充電池３３に十分な電気が蓄電された状態で美容処理装置１００を持ち運ぶことができる。
【００２６】
以上のことを踏まえて、この実施形態における美容処理装置１００の使用方法と美容処理効果について説明する。まず、使用者はグリップ１０を握り、美容処理を施したい肌面上でヘッド３０が転動するように美容処理装置１００を動かす。
ヘッド３０の転動により発電が行われる。発電によって流れる交流電流は図示しないコミュテータによって整流された後、充電池３３によって蓄電される。充電池３３による蓄電量が一定量に達したときＬＥＤ４０が発光するのでこのＬＥＤ４０の光を用いて美容処理を行う。
【００２７】
ＬＥＤ４０の光の作用としては、青色光はヘモグロビンによく吸収されるので赤ら顔や赤アザの改善に効果的である。黄色光、橙色光、赤色光は、メラニンに吸収され、色素部位で蒸散作用により、シミの改善を促し美白効果を得ることができる。
この実施形態での美容処理装置１００では、ＬＥＤ４０を用いて肌面上に光照射を行うので、エネルギー密度の高いレーザ光などを照射するタイプの美容処理装置などとは異なり、皮膚面への刺激が少なく、美容処理後に肌が回復するまでに要する時間（ダウンタイム）が短時間である。
すなわち、美容処理直後から洗顔や、化粧品によるメイクアップを行うことが可能である。
【００２８】
以上説明したように、この実施形態の美容処理装置１００は構造がハンディタイプでかつ内部に電力発生手段を備えるためコードレスであり、いつでもどこでもＬＥＤ４０の光による美容処理をおこなうことができる。
美容処理装置１００はヘッド３０が多角筒状になっているので肌面上を転がしたとき適度な刺激を肌に与えることができる。この適度な刺激により美容処理効果が増す。
また、美容処理装置１００は必要に応じて使用者がヘッド３０を握りグリップ１０を任意の肌面上を転がすようにしてもよい。この場合はＬＥＤ４０の光による美容処理ではなく、肌に適度な刺激を与えることによるマッサージ効果によって美容処理を行うことができる。
【００２９】
なお、この実施形態では充電池３３をヘッド３０内に設けたが、充電池３３の設置位置はこの位置に限定されずコイルユニット２０およびＬＥＤ４０と電気的に接続可能ならば例えば支持部材１２やグリップ１０内に設置してもよい。
電力発生手段としてヘッド３０内には永久磁石３４を、支持部材１２の一端にはコイルユニット２０をそれぞれ設けたがこれらの位置関係を逆にしても発電を行うことができる。
【００３０】
すなわち、永久磁石３４とコイルユニット２０との間で磁束が鎖交されれば発電を行うことができる。
このことを踏まえれば、美容処理装置１００を上下に振動させることによって美容処理装置１００の任意の場所に設置した環状の電磁コイルの中を永久磁石３４が出入りし、起電力を発生させるような機構を用いてもよい。
また、ヘッド３０そのものを永久磁石３４で構成し、孔３１へコイルユニット２０を挿入し、ヘッド３０を回転させることでも同様の発電効果が得られる。これらを適宜組み合わせることによりさらに効率のよい発電を行うことも可能である。
【００３１】
（第２実施形態）
次に図４を用いて本発明の第２実施形態にかかる美容処理装置２００について説明する。すなわち図４は本発明の第２実施形態にかかる美容処理装置２００のグリップ２１０を一部断面で示す概略図である。
この実施形態の美容処理装置２００は、第１実施形態の美容処理装置１００のグリップ１０に握り操作によって発電を行う動力伝達機構２２０を設けた変形例である。
その他ヘッド３０など第１実施例と同様の箇所は図示は省略する。
図４に示すように美容処理装置２００はグリップ２１０、動力伝達機構２２０そして支持部材２３０を有している。
【００３２】
グリップ２１０は孔２１１、孔２１２、空間２１４を有している。グリップ２１０は使用者によって握持される。孔２１１はグリップ２１０の一端側に設けられ、空間２１４と接続される。孔２１１は支持部材２３０を嵌挿させるためのものである。
孔２１２はグリップ２１０の使用者に握持される所定の面に設けられる。孔２１２には動力伝達機構２２０の一部が出入りする。
空間２１４はグリップ２１０の内部に設けられている。空間２１４には支持部材２３０の一端および動力伝達機構２２０の一部が収容される。
【００３３】
動力伝達機構２２０は握りバー２２１、復帰バネ２２２、ラック２２３そしてギア部２４０で主に構成される。動力伝達機構２２０は使用者の握り操作によって支持部材２３０を回転させる。
握りバー２２１は弓状に緩やかに湾曲する棒状に形成されている。握りバー２２１は一端側をグリップ２１０に設けられた孔２１２の一端側に回動自在に固定され、他端側はグリップ２１０の外側面に沿って斜め上方向に伸びている。
握りバー２２１は、孔２１２の所定の個所に設けられた復帰バネ２２２により常時定位置に付勢されている。握りバー２２１は使用者の握り操作によって弧を描くよう下方に回動する。
【００３４】
復帰バネ２２２は例えばコイルバネや板バネである。復帰バネ２２２は使用者の握り操作によって下方に回動した握りバー２２１を定常位置に復帰させる。
ラック２２３は弓状に緩やかに湾曲する棒状に形成されている。ラック２２３は、一端側が握りバー２２１の中央部近傍に固定され他端側は孔２１２を通してグリップ２１０内部へと挿入されている。
ラック２２３は空間２１４内に設けられたギア部２４０の一部と歯合する歯部２２４を有している。ラック２２３は使用の握りバー２２１の握り操作によって孔２１２を出入りする。結果として歯部２２４とギア部２４０の一部との間で回転がおこる。
【００３５】
ギア部２４０はピニオンギア２４１、中間ギア２４２、ラチェットギア２４３、支持部材回転ギア２４４そして一方向クラッチ２４５とで構成されている。
ギア部２４０は、空間２１４内で支持部材２３０とラック２２３が接続されるために設けられる。ギア部２４０は握りバー２２１の上下の回動を回転運動に変えて支持部材２３０に伝達させ支持部材２３０を回転させる。
すなわち、ギア部２４０は握り操作によって上下する握りバー２２１の運動力を回転力に変換する変換手段として機能する。
ピニオンギア２４１はラック２２３の歯部２２４および中間ギア２４２と歯合している。
【００３６】
ラチェットギア２４３は、ノコギリ歯状に形成されており、中間ギア２４２と、支持部材回転ギア２４４と歯合している。ラチェットギア２４３は、さらに一方向クラッチ２４５と接続されている。
支持部材回転ギア２４４はラチェットギア２４３および支持部材２３０の一端と噛合する。すなわち各ギアは互いに接続されており、ピニオンギア２４１の回転によって各ギア２４２〜２４４が従属的に回転する。
【００３７】
なお、一方向クラッチ２４５はラチェットギア２４３の回転を一方向に制御するためのものである。
【００３８】
支持部材２３０は円柱状に形成されている。支持部材２３０は一端側にギア部２４０の支持部材回転ギア２４４と歯合するギア２３１が設けらている。なお、ここでは図示しないが支持部材２３０の他端側は第１実施形態と同様にコイルユニット２０およびベアリング１３が設けられ、同様に図示はしないヘッド３０に被嵌される。
支持部材２３０は一端側をギア２３１とともに孔２１１に挿入される。ギア２３１は孔２１１よりも大きく形成されているため支持部材２３０が孔２１１から抜けてしまうことがない。
次に、以上のように構成された美容処理装置２００での発電方法について説明する。まず使用者の握り操作によって握りバー２２１が下方に回動する。握りバー２２１の回動にともなってラック２２３も下方に回動し、歯部２２４と歯合しているピニオンギア２４１が回転する。
ピニオンギア２４１の回転によって中間ギア２４２、ラチェットギア２４３、支持部材回転ギア２４４、そして支持部材２３０に形成されたギア２３１がそれぞれ従属的に回転し結果的に支持部材２３０が回転する。
【００３９】
支持部材２３０の回転によって、図示しないコイルユニット２０とヘッド３０との間で磁束が鎖交すると電力が発生する。
使用者が握り操作を行った後一度力を抜くと復帰バネ２２２によって握りバー２２１が元の位置へ復帰させられる。このことにより使用者は握りバー２２１を連続的に上下に回動させることができる。
復帰バネ２２２によって握りバー２２１が元の位置に戻される際にピニオンギア２４１と中間ギア２４２はラック２２３に設けられた歯部２２４によって握り操作のときと逆方向に回転する。
【００４０】
この逆方向回転時にラチェットギア２４３は一方向クラッチ２４５によって回転が止められる。このとき、ラチェットギア２４３と噛合している中間ギア２４２はラチェットギア２４３のノコギリ歯によって空転する。
ラチェットギア２４３が回転しないので、ピニオンギア２４１および支持部材回転ギア２４４は回転しない。すなわち逆方向に回転するのはピニオンギア２４１と中間ギア２４２だけである。
結果として、支持部材２３０も逆方向には回転しないことになる。支持部材２３０が一方向にしか回転しないので逆起電力がおこらず充電池３３（図示せず）などの劣化などの不具合を防止することができる。
【００４１】
以上説明したようにこの実施形態の美容処理装置２００は、使用者が握りバー２２１の握り操作を行うことで支持部材２３０が回転し、結果として支持部材２３０の一端に設けられたコイルユニット２０とヘッド３０の相対的に回転により発電を行うことができる。
発生した電力によってＬＥＤ４０（図示せず。）が発光し、いつでもどこでも簡単にしかも経済的に美容処理を行うことができる。
動力伝達機構２２０を設けることにより、握り操作によって発電を行えるため、ヘッド３０を肌上で転動させるよりも効率よく磁束を鎖交させることができ、発電を効率よく行うことができる。
【００４２】
なおこの実施形態の美容処理装置２００は第１実施形態と同様にヘッド３０を肌面上で転動させても発電を行うことができる。したがって握りバー２２１の握り操作による発電とヘッド３０の転動による発電とを適宜組み合わせて行うことができる。
この実施形態のグリップ２１０の構造はさらに変更が可能であり、変更された形態についても技術範囲に含まれる。
例えば、ラチェットギア２４３を設けない構造としてもよい。この場合復帰バネ２２２によって握りバー２２１が定位置へ復帰させられる時に逆起電力が発生して充電池３３などに負担をかけてしまう畏れがある。
【００４３】
しかし、美容処理装置２００の所定の箇所にダイオードなどの電子部品からなる整流回路装置を設けることで逆起電力を整流することができ、充電池３３などに負担がかかることを防止することができる。
すなわち、整流回路装置を設けることでラチェットギア２４３を設けた場合と同様の効果を得ることができる。さらにこの場合にはギア部２４０の逆回転時にも発電することができるので、発電効率が向上する。
この実施形態では握りバー２２１を握り操作することでギア部２４０の各ギアを回転させたが、握りバー２２１の代わりにピニオンギア２４１を回転させるハンドルを設けてもよい。
【００４４】
（第３実施形態）
次に図５を用いて本発明の第３実施形態にかかる美容処理装置３００について説明する。図５は、本発明の第３実施形態にかかる美容処理装置３００のヘッド３０の平面図である。
この実施形態の美容処理装置３００は、第１実施形態の美容処理装置１００のヘッド３０に装着されたＬＥＤ４０の変わりに、使用者の肌面上にパルス電流を流す電極端子３１０を設置した変形例である。
なお、以下の説明では、第１実施形態と同一部分については、同一符号を付して重複する説明は省略する。
【００４５】
また、ここでは図示を省略したがこの実施形態の美容処理装置３００は第１実施形態または第２実施形態で示したグリップ１０またはグリップ２１０を有している。
図５に示すようにこの実施形態の美容処理装置３００が有するヘッド３０の使用者の肌面上を転動される外周面には、パルス電流を流すための電極である電極端子３１０が取付孔３２に外側に向かって装着されている。
ヘッド３０はパルス電流発生装置３１１を有している。パルス電流発生装置３１１はヘッド３０内において電極端子３１０および充電池３３と電気的に接続されている。パルス電流発生装置３１１は充電池３３より電力を供給されこの供給された電力をパルス波形の電力に変換して電極端子３１０へ供給する（以下、パルス波形に変換された電力をパルス電流と称す。）。
【００４６】
このように構成された美容処理装置３００における美容処理はまず使用者は美容処理を行いたい肌面上でヘッド３０を転動させる。このことによりヘッド３０内に設けられた永久磁石３４と、孔３１に挿入されるコイルユニット２０との間で断続的に磁束が鎖交し発電が行われ、コイルユニット２０と接続された充電池３３によって蓄電が行われる。
なお、美容処理装置３００が第２実施形態で説明したグリップ２１０を有する場合には握りバー２２１（図４参照。）の握り操作を行うことでも発電を行うことができる。
【００４７】
充電池３３の蓄電量が一定以上になると、充電池３３と電気的に接続されたパルス電流発生装置３１１に電力が供給される。
パルス電流発生装置３１１は充電池３３からの電力の供給を受けて、パルス電流を電極端子３１０に供給する。使用者が電極端子３１０を任意の肌面に押し当てることでパルス電流が使用者に流れトーニング、ドレナージュ、イオニングなどの美容処理を行うことができる。
【００４８】
トーニングとは、パルス電流で使用者の身体の深部を刺激して骨格筋を運動させて血液の循環を促すことで身体を揉みほぐす効果があるとされる美容処理である。
ドレナージュとは、パルス電流で使用者の肌の表面部を刺激して肌の上層部の筋肉を運動させることでリンパ液の流れを助長し、浮腫などを取り除く効果があるとされる美容処理である。
イオニングは化粧水を肌に塗布する美容処理と併用される美容処理である。すなわちパルス電流で化粧水の成分をイオン化してその効果を高めることができる。
【００４９】
以上説明したようにこの実施形態の美容処理装置３００によればいつでもどこでもパルス電流を発生させることができ、簡単にしかも経済的に美容処理を行うことができる。
なお、この実施形態のヘッド３０の構造は適宜変更が可能であり、変更された形態についても技術範囲に含まれる。例えば、ＬＥＤ４０と電極端子３１０とを併設することで光による美容処理とパルス電流による美容処理を同時に行うことができる。
【００５０】
（第４実施形態）
次に図６または図７を用いて本発明の第４実施形態にかかる美容処理装置４００について説明する。図６は本発明の第４実施形態にかかる美容処理装置４００の分解図である。図７は図６の美容処理装置４００のグリップ４４０に支持部材４３０を装着して示す拡大斜視図である。
【００５１】
なお、以下の説明では、第１ないし第３実施形態と同一部分については、同一符号を付して重複する説明は省略する。
同図に示すように美容処理装置４００は、ヘッド４１０、ヘッド被嵌部材４２０、支持部材４３０そしてグリップ４４０を有している。
ヘッド４１０は、孔部４１１、取付孔４１２を有している。ヘッド４１０は断面８角状に形成された多角筒状をなしている。ヘッド４１０はＡＢＳ樹脂、ポリカーボネートなどで透明または半透明に形成され透過性を有している。
孔部４１１は、ヘッド４１０の中心部かつこのヘッド４１０の長手方向を貫通するように設けられている。
【００５２】
孔部４１１は、一対の溝部４１３と支持部材取付け部４１４を有している。
一対の溝部４１３は、孔部４１１の中央近傍にこの孔部４１１と同心円かつ孔部４１１よりも直径の長い略円筒状に形成されている。
支持部材取付け部４１４は、ヘッド４１０の一端側に形成されている。
【００５３】
支持部材取付け部４１４は、孔部４１１よりも直径の大きい略円筒形に形成されている。支持部材取付け部４１４は、支持部材４３０の一端側を被嵌して固定するためのものである。支持部材取付け部４１４によって支持部材４３０が固定されることで、ヘッド４１０と支持部材４３０は一体的に回転する。
多数の取付孔４１２は、ヘッド４１０の使用者の肌面上を転動される外周面に設けられている。取付孔４１２には、皮膚刺激手段としてのゲルマニウム部材４１５およびトルマリン部材４１６が装着される。
ゲルマニウム部材４１５およびトルマリン部材４１６はチップ状に形成されている。
ゲルマニウム部材４１５は導電性が変化する部材として機能する。ゲルマニウム部材４１５を人体に接触させることで人体に流れている生体電流に作用して新陳代謝を促進させ痛みなどを緩和する効果があるといわれている。
【００５４】
トルマリン部材４１６は焦電材料で形成され焦電部材として機能する。焦電材料であるトルマリン部材４１６は温度の上昇に応じて、表面に帯電する電荷増加する。この増加した電荷が人間の生体電流に影響し、体内に酸素を送り込み発汗作用を促す効果があるといわれている。この発汗作用によって肌のコンディションを整えることが可能となる。
ヘッド被嵌部材４２０は、ＡＢＳ樹脂、ポリカーボネートなどで円筒状かつ光透過性を有するよう形成されている。ヘッド被嵌部材４２０は複数のＬＥＤ４０と一対のベアリング４２１を有している。
【００５５】
ヘッド被嵌部材４２０は、一端側をＬＥＤ４０とともにヘッド４１０の孔部４１１に挿入される。ヘッド被嵌部材４２０は、他端側を支持部材４３０の一端側に回転可能に挿入される。
ＬＥＤ４０は、ヘッド被嵌部材４２０内に一列に並べられ、樹脂などの透明性を有する部材によって封入されている。ＬＥＤ４０は電力を供給されて発光し、さらに発光時に熱を発する熱変換手段としても機能する。
【００５６】
なお、封入されるＬＥＤ４０の個数は特に限定されない。また、発光した際のＬＥＤ４０の色は特に限定されない。
一対のベアリング４２１は、ヘッド４１０に設けられた一対の溝部４１３に嵌挿される。ベアリング４２１が溝部４１３に嵌挿されることで使用者が美容処理装置４００を肌面上で転動したときこのベアリング４２１と溝部４１３との間で回転がおきる。結果としてヘッド４１０が滑らかに回転する。
支持部材４３０は、一対のベアリング４３１とギア４３２を有している。支持部材４３０は例えば、プラスチック、金属またはＡＢＳ樹脂などで円筒状に形成されている。
【００５７】
支持部材４３０は、一端側からヘッド被嵌部材４２０の一端側が挿入される。この支持部材４３０のヘッド被嵌部材４２０が挿入された一端側縁部は、ヘッド被嵌部材４２０とともにヘッド４１０のヘッド支持部材取付け部４１４に被嵌される。
すなわち、支持部材４３０はヘッド４１０と一体的に回転する。
支持部材４３０は、ベアリング４３１、ギア４３２とともにグリップ４４０に回転可能に挿入される。
ベアリング４３１は、外周面をグリップ４４０の内部に固定される。このことによって使用者が美容処理装置４００を肌面上で転動した際ベアリング４３１と支持部材４３０との間で回転がおきる。このことによりヘッド４１０とグリップ４４０が一体的に回転することがない。
ギア４３２はグリップ４４０に挿入される一端側に鍔状に設けられ、支持部材４３０の回転に伴って一体的に回転する。
【００５８】
グリップ４４０は断面８角状に形成された多角柱状に形成されている。グリップ４４０は、グリップ嵌挿孔４４１、空間４４２そして電力発生部４５０を有している。グリップ４４０は使用者によって握持される。
次に図８を用いてグリップ４４０の内部を詳細に説明する。図８は美容処理装置４００のグリップ４４０の内部構造を示す断面図である。
同図に示すようにグリップ嵌挿孔４４１はグリップ４４０の一端側に空間４４２に向かって設けられこの空間４４２と接続する。
【００５９】
グリップ嵌挿孔４４１は長手方向の中央部に一対のベアリング孔４４３を有している。ベアリング孔４４３は、支持部材４３０に設けられた一対のベアリング４３１を固定するためのものである。
グリップ嵌挿孔４４１には支持部材４３０が嵌挿される。
空間４４２は、電力発生部４５０を収納するためのものである。空間４４２には支持部材４３０に設けられたギア４３２が配置される。
【００６０】
電力発生部４５０は、ギア４５１、ギア４５２、シャフト４５３、ギアボックス４５４、発電モータ４５５および電気回路基板４５６で主に構成される。
ギア４５１は支持部材４３０に設けられたギア４３２と歯合する。さらにギア４５１はギア４５２と歯合する。ギア４５２はシャフト４５３を介してギアボックス４５４と機械的に接続されている。
ギアボックス４５４は、シャフト４５３を介してギア４５２の回転と同期して回転する複数のギア（図示せず）を有している。ギアボックス４５４はギア４５２の回転をより早い回転に変換して発電モータ４５５へ伝える変速装置である。
【００６１】
すなわちギアボックス４５４と、発電モータ４５５とは機械的に接続されている。
発電モータ４５５は、ギアボックス４５４によって回転運動を伝達され発電を行う。発電モータ４５５は導線４５７によって電気回路基板４５６と電気的に接続されている。発電モータ４５５の発電によって発生した電力は導線４５７を介して電気回路基板４５６に供給される。
電気回路基板４５６は交流電流を直流電流に変換する整流回路として機能する。電気回路基板４５６とヘッド被嵌部材４２０内に配置されたＬＥＤ４０（図示せず）とは導線４５８によって電気的に接続されている。
【００６２】
次に以上のように構成された美容処理装置４００での発電方法および美容処理方法について説明する。
まず、使用者はグリップ４４０を握持してヘッド４１０を任意の肌面上で転動させる。このときヘッド被嵌部材４２０に設けられたベアリング４３１とヘッド４１０との間で回転が起きヘッド４１０の回転によってヘッド被嵌部材４２０が回転することはない。
【００６３】
ヘッド被嵌部材４２０がヘッド４１０と一体的に回転してしまうとヘッド被嵌部材４２０に封入されたＬＥＤ４０も回転することになり、結果ＬＥＤ４０と電気回路基板４５６を接続している導線４５８がねじれて断線してしまう畏れがある。
しかし、ベアリング４３１によってヘッド被嵌部材４２０が回転しないので導線４５８の断線を防止することができる。
ヘッド４１０の転動によって、ヘッド４１０と支持部材４３０は一体的に回転する。このとき支持部材４３０とグリップ４４０の内部に固定されたベアリング４３１との間で回転がおきるので支持部材４３０はグリップ４４０に対して滑らかに回転する。
支持部材４３０の回転エネルギーはギア４３２、ギア４５１、４５２そしてシャフト４５３を介してギアボックス４５４に伝わる。
【００６４】
ギアボックス４５４によって支持部材４３０（ヘッド４１０）の回転速度が、より早い速度に変速され発電モータ４５５に伝達される。この伝達された回転によって発電モータ４５５が発電をおこなう。
発電モータ４５５の発電によって流れる電流は導線４５７を介して電気回路基板４５６に供給され、電気回路基板４５６によって整流された後導線４５８を経由してＬＥＤ４０へ流れる。この電流によってＬＥＤ４０が発光する。
なお、ヘッド４１０の回転方向によって、発電モータ４５５は逆起電力を発生させる。すなわち電流の流れる向きが時々変化することになる。時々向きが変化する電流がＬＥＤ４０に流れるとＬＥＤ４０に負荷がかかり短寿命の原因になる畏れがある。しかし、電気回路基板４５６によって電流が整流されるのでＬＥＤ４０には常に一定の電流が流れ、ＬＥＤ４０の短寿命を防止することができる。
【００６５】
ヘッド４１０およびヘッド被嵌部材４２０は光透過性を有しているのでＬＥＤ４０の光はヘッド被嵌部材４２０の内部からヘッド４１０外部へと漏れる。
使用者はこの漏れたＬＥＤ４０の光を利用して美容処理を行うことができる。
ＬＥＤ４０は光を発すると同時に熱を発する。この発生した熱はトルマリン部材４１６に伝わる。結果トルマリン部材４１６の温度が上昇し焦電効果が表れる。この焦電効果が表れたトルマリン部材４１６を使用者の肌面に当接させることで美容処理を行うことができる。
さらにヘッド３０に装着されたゲルマニウム部材４１５を使用者の肌面に当接させることで使用者に流れている生体電流に作用し新陳代謝を促進させることでさらなる美容処理の効果を得ることができる。
【００６６】
以上説明したようにこの実施形態の美容処理装置４００によればヘッド４１０の回転によって、発電モータ４５５を回転させることにより発電することができる。発電によって起きる電力によってＬＥＤ４０が発光し、この光による美容処理と、トルマリン部材４１６の焦電効果による美容処理をいつでもどこでも簡単にしかも経済的に行うことができる。
さらにゲルマニウム部材４１５によって使用者の身体の導電性を変化させることで美容処理を行うこともできる。
【００６７】
（第５実施形態）
次に図９または図１０を用いて美容処理装置４００の電力発生部４５０および発電方法の変形させた第５実施形態にかかる美容処理装置４０１を説明する。図９はグリップ４４０に設けられる電力発生部４５０の変形例を示す一部断面図である。
図１０は電力発生部４５０の一部分の配置間系を示す概念図である。なお、以下の説明では、第４実施形態と同一部分については、同一符号を付して重複する説明は省略する。
同図に示すようにこの実施形態の美容処理装置４０１はグリップ４４０に設けられた空間４４２内に電力発生部４５０ａを有している。電力発生部４５０ａは電気回路基板４５６、導線４５７，４５８そして一対の圧電バイモルフ４７０で主に構成されている。
【００６８】
空間４４２は圧電バイモルフ取付部４７２を有している。圧電バイモルフ取付部４７２は圧電バイモルフ４７０の一端側を固定するためのものである。圧電バイモルフ取付部４７２はグリップ４４０に設けられたグリップ嵌挿孔４４１との対向面に設けられている。
グリップ４４０に挿入される支持部材４３０は、一端部に回転カム４７１を有している。
回転カム４７１は導線４５８を支持部材４３０内に引き込むための孔部４７１ａを中央部に有している。回転カム４７１は、3辺が外側に向かって弧状に突出した略三角形に形成されている。回転カム４７１は、支持部材４３０の回転に伴って回転し、この回転を圧電バイモルフ４７０へと伝達する振動変換手段として機能する。
【００６９】
圧電バイモルフ４７０は、振幅エネルギーを電気的なエネルギーに変換する圧電素子である。圧電バイモルフ４７０は２枚の板状の圧電セラミックスを貼り合わせて構成される。圧電バイモルフ４７０は変位（力）を与えられ、しなることで起電力が発生する。
圧電バイモルフ４７０は数十ｍＷ（ミリワット）の発電を行うことができる。
圧電バイモルフ４７０は、一端側を圧電バイモルフ取付部４７２に固定され、他端側は回転カム４７１に当接されるように設けられる。
【００７０】
なおここでは一対の圧電バイモルフ４７０を用いたが、圧電バイモルフ４７０の枚数は特に限定されず１枚だけでも発電が可能である。
この実施形態の美容処理装置４０１は第４実施形態での説明と同様にヘッド４１０を肌面上で転動することで支持部材４３０が回転する。さらに支持部材４３０の回転に伴って回転カム４７１が回転する。
次に図１１を用いてこの実施形態の美容処理装置４０１における発電方法を説明する。図１１はこの実施形態における発電方法を示す概念図である。
【００７１】
ヘッド４１０を肌面上で転動したすると支持部材４３０が回転し、この支持部材４３０の回転に伴って回転カム４７１が回転する。回転カム４７１は、各辺の頂点が図１１に点線で示す軌道で回転する。
このとき回転カム４７１は各頂点の軌道上にある圧電バイモルフ４７０の一端を外側に押し出す。結果として圧電バイモルフ４７０は、圧電バイモルフ取付部４７２に取り付けられた一端側を支点としてしなることになる。
圧電バイモルフ４７０がしなることで発電が行われる。圧電バイモルフ４７０はしなった後復元力によって元の状態に戻るため、回転カム４７１の回転によって繰り返ししなることになる。すなわち連続的に発電が行われる。
【００７２】
圧電バイモルフ４７０は、回転カム４７１の弧状の辺よって常時回転カム４７１の一辺に当接される。このことによって、圧電バイモルフ４７０と回転カム４７１との間でおこる衝突音の発生を防止することができる。
以上説明した圧電バイモルフ４７０の発電によって交流電流が流れる。この交流電流は導線４５７を介して電気回路基板４５６に流れる。電気回路基板４５６は流れた交流電流を整流する。整流された電流は導線４５８を介してここでは図示はしないＬＥＤ４０に流れる。
【００７３】
整流された電流によってＬＥＤ４０が発光するので使用者は肌面にこの光を照射して美容処理をおこなうことができる。
この実施形態の美容処理装置４０１によればヘッド４１０の回転によって結果的に圧電バイモルフ４７０がしなりいつでもどこでも発電を行うことができる。この結果いつでもどこでも簡単にしかも経済的に美容処理を行うことができる。
【００７４】
（第６実施形態）
次に図１２を用いて圧電バイモルフ４７０を用いた電力発生部４５０ａの変形例である第６実施形態にかかる美容処理装置４０２について説明する。すなわち図１２は、図９に示すグリップ４４０に設けられる電力発生部４５０aの変形例を示す一部断面図である。
【００７５】
なお、以下の説明では、第４および第５実施形態と同一部分については、同一符号を付して重複する説明は省略する。
同図に示すようにこの実施形態の美容処理装置４０２はグリップ４４０に設けられた空間４４２内に電力発生部４５０ｂを有している。電力発生部４５０ｂは電気回路基板４５６、導線４５７，４５８一枚の圧電バイモルフ４７０、バネ４７３そしてハブ４７４で主に構成されている。
バネ４７３は空間４４２内においてグリップ４４０の長手方向に対して垂直となる姿勢に配置される。
【００７６】
バネ４７３は一端側をグリップ４４０の所定の箇所に固定されている。バネ４７３の他端側は、ハブ４７４の一端側に接続されている。
ハブ４７４は略棒状に形成されている。ハブ４７４は圧電バイモルフ接続部４７５を有している。ハブ４７４は空間４４２内に中央部を支点として回転自在に固定されている。
ハブ４７４の圧電バイモルフ接続部４７５が設けられた一端側はバネ４７３と当接している。ハブ４７４の他端側は回転カム４７１と当接している。ハブ４７４は、中央部を支点として、回転カム４７１と当接する一端側は下方に向き、圧電バイモルフ接続部４７５が設けられたバネ４７３と当接する他端側は上方を向くように設けられる。
【００７７】
圧電バイモルフ接続部４７５は、ハブ４７４の一端側に設けられている。圧電バイモルフ接続部４７５は、断面コ字状に形成されている。圧電バイモルフ接続部４７５は、圧電バイモルフ４７０の一端側と接続する。
次にこの実施形態での美容処理装置４０２における発電方法および美容処理方法を説明する。
【００７８】
この実施形態の美容処理装置４０２は第４または第５実施形態での説明と同様に美容処理装置４０２のヘッド４１０を使用者の肌面上で転動することで支持部材４３０が回転する。支持部材４３０の回転に伴って回転カム４７１が回転する。
回転カム４７１の回転に伴ってハブ４７４の回転カム４７１と当接された一端側に下方向への力が加えられる。
このとき、圧電バイモルフ接続部４７５が設けられたハブ４７４の他端側は、ハブ４７４の中央部を支点として上方向へ回動する。この上方向への回動に伴って圧電バイモルフ４７０の一端側も上方向に動く。
【００７９】
すなわち、圧電バイモルフ４７０は、圧電バイモルフ取付部４７２に取り付けられた一端側を支点として上方向にしなることになる。圧電バイモルフ４７０がしなることで発電が行われる。
さらに回転カム４７１が回転を続けると、ハブ４７４の一端側はバネ４７３によって下方向に力が加えられハブ４７４の中央部を支点として下方向へ回動する。この結果回転カム４７１と当接された他端側は、上方向に戻ることになる。
【００８０】
このとき圧電バイモルフ４７０は、圧電バイモルフ取付部４７２に取り付けられた一端側を支点として下方向にしなることになる。
圧電バイモルフ４７０の上方向および下方向のしなりによって交流電流が流れる。圧電バイモルフ４７０は回転カム４７１が回転する限り発電を行う。圧電バイモルフ４７０の発電によって発生した交流電流は導線４５７を介して電気回路基板４５６に流れる。
電気回路基板４５６は流れた交流電流を整流する。整流された電流は導線４５８を介してここでは図示はしないＬＥＤ４０に流れる。整流された電流によってＬＥＤ４０が発光するので使用者は肌面にこの光を照射して美容処理を行うことができる。
【００８１】
以上説明したようにこの実施形態の美容処理装置４０２によればヘッド３０の回転によって結果的に圧電バイモルフ４７０が振幅運動を行うのでいつでもどこでも簡単に発電を行うことができる。この結果いつでもどこでも簡単にしかも経済的に美容処理を行うことができる。
【００８２】
（第７実施形態）
次に図１３ないし図１５を用いて、本発明の第７実施形態にかかる美容処理装置５００について説明する。
図１３は美容処理装置５００の斜視図である。図１４は図１３で示した美容処理装置５００のヘッド５２０の内部を示す斜視図である。図１５は図１３で示した美容処理装置５００のヘッド５２０の配置を示す断面図である。
【００８３】
なお以下の説明において第１ないし第６実施形態と重複する箇所には同一符号を示し、詳細な説明は省略する。
同図に示すようにこの実施形態の美容処理装置５００はグリップ５１０とヘッド５２０で主に構成されている。
グリップ５１０は、使用者に握持される握持部５１１と、この握持部５１１に直交するように握持部５１１の一端側に設けられる直交部５１２を有している。すなわちグリップ５１０は略Ｔ字状に形成されている。
握持部５１１の所定の箇所には使用者によってＯＮ・ＯＦＦの切替がなされるスイッチ５１３が配設されている。
【００８４】
直交部５１２は一対のヘッド挟持部５１４を有している。ヘッド挟持部５１４は直交部５１２の両端部に握持部５１１と平行となるように配設されている。ヘッド挟持部５１４は、ヘッド５２０の回転軸を固定するためのものである。
ヘッド５２０は、長手方向に側面５２０ａ〜５２０ｆを有する略六角形状に形成されている。
ヘッド５２０は円周長が７５ｍｍを有する筒体である。すなわち使用者の肌面上で美容処理装置５００を３０ｃｍ転動した場合、３００ｍｍ÷７５ｍｍとなるのでヘッド５２０は４回転することになる。
【００８５】
ヘッド５２０は一対の電極端子５２１ａ、５２１ｂ、ＬＥＤ４０、支持部材５２２、ベアリング５２３、発電部５２４、電極５２５ａ〜５２５ｄ、電気接点部５２６ａ〜５２６ｄそして導線５２７を有している。
電極端子５２１ａ、５２１ｂおよびＬＥＤ４０は、ヘッド５２０の各側面５２０ａ〜５２０ｆに一直線状になるように外側に向かって装着される。例えば、側面５２０aの両端側に電極端子５２１ａ、５２１ｂを配置し、ＬＥＤ４０を中央部に配置して装着される。
【００８６】
電極端子５２１ａ、５２１ｂは、導線５２７を介して発電部５２４と電気的に接続され使用者の肌面に当接された際には肌面を介して電極端子５２１ａから５２１ｂまたは電極端子５２１ｂから５２１ａに向かって電流が流れる。
すなわち電極端子５２１ａ、５２１ｂは使用者の肌面上に電流を流す為の親極または子極として機能する。
スイッチ５１３は、電極端子５２１ａ、５２１ｂからの使用者の肌面への電流の供給を切り換えるためのものである。
【００８７】
支持部材５２２はヘッド５２０に固定され、一端側はヘッド挟持部５１４に回転可能に挿入される。図示は省略したが支持部材５２２の他端側にはギアが設けられており、このギアは発電部５２４に接続される。
ベアリング５２３は、使用者の肌面上をヘッド５２０がスムーズに回転するためのものである。すなわち、使用者の肌面上をヘッド５２０が転動された場合ベアリング５２３とヘッド５２０の間で回転がおこる。
発電部５２４は電気回路基板４５６、ギアボックス４５４、発電モータ４５５そしてこれらを収容する筐体５２８で主に構成されている。
【００８８】
ギアボックス４５４は支持部材５２２の他端側に設けられたギア（図示せず）および発電モータ４５５と接続し、支持部材５２２（ヘッド５２０）の回転を発電モータ４５５に伝達する。
発電モータ４５５はギアボックス４５４から伝達された支持部材５２２の回転によって発電を行う。
電気回路基板４５６は筐体５２８内において発電モータ４５５と電気的に接続されている。さらに電気回路基板４５６は導線５２７を介してスイッチ５１３、各電極５２５ａ〜５２５ｄと電気的に接続されている。
【００８９】
電気回路基板４５６とスイッチ５１３は図示は省略したが支持部材５２２、直交部５１２の内部に配設された導線によって電気的に接続されている。
筐体５２８は円筒状に形成されている。
電極５２５ａ〜５２５ｄは筐体５２８の両端部および中央部近傍をそれぞれ独立して被嵌するように一直線状に配置される。
電極５２５ａ、５２５ｄは、ヘッド５２０の回転時に使用者によるスイッチ５１３のＯＮ・ＯＦＦ操作によって電気の供給が制御される。
電極５２５ｂ、５２５ｃはヘッド５２０の回転時は常に電気が供給される。
電気接点部５２６ａ〜５２６ｄは、ヘッド５２０の内周面の両端部に設けられた導体の層である。電気接点部５２６ａ〜５２６ｄは電極５２５ａ〜５２５ｄをそれぞれ取り囲むような環状に形成されている。
【００９０】
電気接点部５２６ａは電極端子５２１ａと、電気接点部５２６ｂ、５２６ｃはＬＥＤ４０と、電気接点部５２６ｄは電極端子５２１ｂと電気的に接続されている。すなわち、電気接点部５２６ａと電気接点部５２６ｄ、電気接点部５２６ｂと電気接点部５２６ｃはそれぞれ一対の電極として機能する。
電気接点部５２６ａ〜５２６ｄはそれぞれ電極５２５ａ〜５２５ｄと電気的に接続する接触部５２９ａ〜５２９ｄを有している。
次に図１６を用いて以上のような構成された美容処理装置５００の電気的な接続について説明する。図１６は美容処理装置５００の電気回路を示す概念図である。
なお、以下の説明では説明を分かりやすくするために美容処理装置５００が４つのＬＥＤ４０ａ〜４０ｄ、一対の電極端子５２１ａ、５２１ｂを備える例として説明する。また、電気回路基板４５６、ギアボックス４５４、電極５２５ａ〜５２５ｄ、電気接点部５２６ａ〜５２６ｄなどの図示は省略する。
【００９１】
同図に示すように美容処理装置５００は、ＬＥＤ４０ａ〜４０ｄ、発電モータ４５５、抵抗５３０ａ、５３０ｂによって形成される第１の閉回路５４０を有している。抵抗５３０ａ、５３０ｂはＬＥＤ４０に過大な電圧がかからないためのものである。
さらに美容処理装置５００は一対のツェナーダイオード５３１ａ、５３１ｂ、コンデンサ５３２によって形成される第２の閉回路５４１を有している。第２の閉回路５４１は第１の閉回路５４０に並列に接続される。
【００９２】
コンデンサ５３２は発電モータ４５５によって発電された電力を蓄電する。ツェナーダイオード５３１ａ、５３１ｂは電圧を安定してコンデンサ５３２に供給するためのものである。
またさらに美容処理装置５００はスイッチ５１３、電極端子５２１ａ、５２１ｂによって形成される第３の閉回路５４２を有している。第３の閉回路５４２は第２の閉回路５４１に並列に接続されている。
なお、ツェナーダイオード５３１ａ、５３１ｂ、抵抗５３０ａ、５３０ｂそしてコンデンサ５３２は図示を省略した電気回路基板４５６に設けられるものである。
【００９３】
次にこのように形成された電気回路での発電時の電流の流れについて説明する。
使用者がヘッド５２０を転動することで発電モータ４５５が発電を行う。このとき発電モータ４５５の端子にはV1およびV２の電圧が印加される。V1とV2の電圧はモータの回転によってプラスまたはマイナスに適宜入れ替わる。
【００９４】
（第１の閉回路５４０）
発電モータ４５５の発電によってＶ１が印加された端子からＶ２が印加された端子に向かって電流が流れる。このとき、電流は抵抗５３０ａ、５３０ｂを通りＬＥＤ４０ａ、４０ｂに流入しＬＥＤ４０ａ、４０ｂが発光する。ＬＥＤ４０ａ、４０ｂを通過した電流は発電モータ４５５のＶ２が印加された端子に帰還する。すなわち、この場合の電流の流れではＬＥＤ４０ｃ、４０ｄは発光しない。
ヘッド５２０の回転方向の変化によって電流がＶ２が印加されたの端子からＶ１が印加された端子に向かって流れる場合がある。このときはＬＥＤ４０ａ、４０ｂは発光せずＬＥＤ４０ｃ、４０ｄが発光する。
【００９５】
（第２の閉回路５４１）
第１の閉回路５４０に電流が流れると同時に第２の閉回路５４１にも電流が流れる。Ｖ１が印加された端子からＶ２が印加された端子に向かって電流が流れる場合、ツェナーダイオード５３１ａ、コンデンサ５３２、ツェナーダイオード５３１ｂの順に電流が流れる。Ｖ２が印加された端子からＶ１が印加された端子に向かって電流が流れる場合はツェナーダイオード５３１ｂによってコンデンサ５３２には電流が流れない。すなわち、発電モータ４５５の回転方向にかかわりなくコンデンサ５３２には絶えず一定方向から電流が供給される。
【００９６】
（第３の閉回路５４２）
電極端子５２１ａと５２１ｂ同士は通常は電気的に接続されていない。電極端子５２１ａと５２１ｂを使用者の肌面上に当接することで、使用者の肌面を介して電極端子５２１ａと５２１ｂが導通状態となり第３の閉回路５４２が形成される。
発電モータ４５５の回転中にスイッチ５１３をＯＮにした場合、発電モータ４５５から電力を供給され、この供給された電力を用いて使用者の肌面上に電流を流すことができる。
【００９７】
発電モータ４５５が停止中にスイッチ５１３をＯＮにした場合、コンデンサ５３２に蓄電された電力を用いて使用者の肌面上に電流を流すことができる。すなわち第３の閉回路５４２の電源は、発電モータ４５５の発電による電力と、コンデンサ５３２に蓄電された電力である。
次に以上のように構成された美容処理装置５００の発電方法および美容処理方法について説明する。
まず、使用者はグリップ５１０を握持してヘッド５２０を任意の肌面上で転動する。このときヘッド５２０とベアリング５２３との間で回転がおきてヘッド５２０は滑らかに回転する。
【００９８】
ヘッド５２０の回転に伴って電気接点部５２６ａ〜５２６ｄも回転する。このとき接触部５２９ａ〜５２９ｄは電極５２５ａ〜５２５ｄ上をそれぞれ摺動する。支持部材５２２はヘッド挟持部５１４に回転可能に挿入され、かつヘッド５２０に固定されているのでヘッド５２０の回転に伴って支持部材５２２も回転する。
支持部材４３０の回転はギアボックス４５４を介して発電モータ４５５へ伝達され、結果発電モータ４５５によって発電が行われる。
【００９９】
発電モータ４５５の発電によって発生した電力は電極５２５ｂ、５２５ｃ、接触部５２９ｂ、５２９ｃ、電気接点部５２６ｂ、５２６ｃを介してＬＥＤ４０に供給される。このとき、コンデンサ５３２にも電力が供給される。コンデンサ５３２には供給された電力を蓄電する。
電極５２５ａ、５２５ｄに供給される電力はスイッチ５１３によってＯＮ・ＯＦＦが制御され、スイッチ５１３がＯＮ状態の場合、接触部５２９ａ、５２９ｄ、電気接点部５２６ａ、５２６ｄを介して電極端子５２１ａ、５２１ｂに供給される。
電極端子５２１ａ、５２１ｂが使用者の肌に当接されることで美容処理装置５００と使用者の間で第３の閉回路５４２が形成され電流が流れる。使用者はこの電流によって筋肉を刺激することで美容処理をおこなう。
【０１００】
使用者の肌に流れる電流は、ヘッド５２０の回転によって脈流しパルス波形に近似したパルス電流となる。使用者はこの電流を用いてＥＭＳ（Electrical Muscle Stimulation：低周波による電気的筋肉刺激）を行うことができる。
この周波数はヘッド５２０の回転数によって決定される。美容処理装置５００ではヘッド５２０の６つの側面５２０ａ〜５２０ｆそれぞれに電極端子５２１ａ、５２１ｂが配置されているため、ヘッド５２０が１回転／秒で回転した場合一秒間に電極端子５２１ａ、５２１ｂが６回肌面に当接されることになる。
【０１０１】
すなわち美容処理装置５００は６[Ｈｚ]で動作することになる。使用者が４回転／秒でヘッド５２０を回転させた場合には２４[Ｈｚ]の周波数で出力されることになる。
美容処理装置５００は使用者が任意の早さでヘッド５２０を転動させることで１〜１００[Ｈｚ]以上の周波数を幅広く発生させることができる。この種々の周波数を用いて筋肉を刺激する美容処理をいつでもどこでも簡単にしかも経済的に行うことができる。
以上説明したように美容処理装置５００では、ヘッド５２０の回転によって発生した電力をＬＥＤ４０の発光のみに使用するのではなく、コンデンサ５３２に蓄電することができる。
【０１０２】
ヘッド５２０の回転によって電極端子５２１ａ、５２１ｂが使用者の肌面上に当接すると、コンデンサ５３２に蓄電された電力または、発電モータ４５５の発電による電力によるパルス電流に近い波形の電流使用者の肌面に流れる。
この電流を用いて美容処理を行うことができる。
さらに美容処理装置５００は、使用者がスイッチ５１３をＯＮ・ＯＦＦを切り替えることで電流の放出を任意に制御することができる。すなわち、ＬＥＤ４０単独の美容処理と、ＬＥＤ４０と電極端子５２１ａ、５２１ｂを併用した美容処理と、電極端子５２１ａ、５２１ｂ単独の美容処理とを適宜選択できる。このことによって使用者の好みに応じて種々の美容処理を行うことができる。
【０１０３】
なお、この実施形態では電極端子５２１ａ、５２１ｂをヘッド５２０に配置したが、例えば電極端子５２１ａはヘッド５２０に配置し、電極端子５２１ｂを使用者に常時当接されるようにグリップ５１０の握持部５１１に配置するようにしてもよい。この場合には美容処理装置２００はイオン導入装置として機能する。
「イオン導入」とは皮膚に微弱な電流を流すことで、水溶性の薬物を肌内に効果的に導入することである。通常はマイナスの電極を肌面にあて、プラスの電極を手に持って電流を流す。
【０１０４】
このとき、肌面には水に溶けるとマイナスに帯電するイオンを含む物質（例えばビタミンＣ誘導体）を塗布する。イオン導入によってイオンを含む物質と肌面に当てたマイナスの電極からの反発力が生じイオンを含む物質が顔の皮膚の奥へと浸透していく。
また、ヘッド５２０にＬＥＤ４０を設けたが設けずともよい。ＬＥＤ４０の代わりにゲルマニウム部材４１５やトルマリン部材４１６を配置してもよい。また、単に使用者の肌面を押圧する皮膚押圧部材を配置してもよい。皮膚押圧部材はつぼ押しなどによる美容処理をおこなうためのものである。
【０１０５】
（第８実施形態）
美容処理装置５００は、ヘッド５２０の回転速度を使用者が変化させることで出力される周波数を調整することができる。
この周波数の調整は、ヘッド５２０の側面５２０ａ〜５２０ｆへの電極端子５２１ａ、５２１ｂの配置箇所を変更することでも行うことができる。
図１７を用いて第８の実施形態にかかる美容処理装置５０１について説明する。
図１７は美容処理装置５０１のヘッド５２０の変形例を示す一部断面図である。
なお、以下の説明において、第７実施形態と重複する箇所には同一符号を示し、詳細な説明は省略する。
【０１０６】
また、図１７では説明を判りやすくするために一直線状に配置された電極端子５２１ａ、５２１ｂ、ＬＥＤ４０のうち、電極端子５２１ａのみを示して説明する。
同図に示すようにこの実施形態のヘッド５２０は、電極端子５２１ａをヘッドの側面５２０a、５２０ｂの２箇所に設置した変形例である。図示は省略したが電極端子５２１ｂおよびＬＥＤ４０も電極端子５２１ａと同様に配置されている。
その他のヘッド５２０の側面５２０ｃ〜５２０ｆには何も配置されない。なおＬＥＤ４０の配置箇所は特に限定されることはない。すなわちＬＥＤ４０はヘッドの側面５２０ａ〜５２０ｆの任意の箇所に配置することができる。
【０１０７】
この実施形態の美容処理装置５０１が出力する周波数は、電極端子５２１ａ、５２１ｂの数がヘッド５２０の側面５２０ａ〜５２０ｆに配置された場合に比べてが２／６個となる。
したがっての電極端子５２１ａ、５２１ｂの数がヘッド５２０の側面５２０ａ〜５２０ｆに配置された場合の周波数である２４[Ｈｚ]よりも２／６倍の周波数になる。すなわち８[Ｈｚ]で動作する。
【０１０８】
このようにヘッド５２０の側面５２０ａ〜５２０ｆへの電極端子５２１ａ、５２１ｂの配置箇所を変更することで周波数を調整することができる。
また電極端子５２１ａ、５２１ｂがこのように配置された美容処理装置５０１では、側面５２０aに配置された電極端子５２１ａ、５２１ｂの使用者の肌面の当接から側面５２０ｂに配置された電極端子５２１ａ、５２１ｂの使用者の肌面の当接までにヘッド５２０を６０度移動させる必要がある。
そして側面５２０ｂに配置された電極端子５２１ａ、５２１ｂの使用者の肌面の当接から側面５２０ａに配置された電極端子５２１ａ、５２１ｂの使用者の肌面の当接までにヘッド５２０を３００度移動させる必要がある。
【０１０９】
すなわちヘッド５２０に対する電極端子５２１ａ、５２１ｂの配置が不均一となっておりこの結果使用者の肌面への電気の放出のタイミングが不均一となっている。このことにより、筋肉への刺激を一定にせず、使用者の皮膚の電気刺激への慣れを減らすことができる。
【０１１０】
（第９実施形態）
次に図１８を用いて、第９実施形態にかかる美容処理装置５０２について説明する。図１８は図１３に示した美容処理装置５０２のグリップ５１０の変形例を示す斜視図である。なお、以下の説明では第７、第８実施形態、などと同様の部分については重複する箇所に同一符号を付し詳細な説明は省略する。
【０１１１】
図１８に示すように美容処理装置５０２は握持部６１１を有するグリップ５１０aを備える。握持部６１１は断面略楕円形状に形成されている。断面略楕円形状に形成された握持部６１１は使用者の手におさまりがよく美容処理時の手の負担を軽減することができる。
握持部６１１は直交部５１２の中央部から左方にずれた位置に配置されている。
このように握持部６１１を突部の端部方向にずらして配置した場合では、握持部６１１を直交部５１２の中央部に配置した場合に比べてヘッド５２０の片側端部と握持部５１１との距離が長くなる。
【０１１２】
この結果、例えば使用者が右手で握持部６１１を持って左頬を美容処理しようとする場合、握持部６１１を直交部５１２の中央部に配置した場合に比べてヘッド５２０の片側部分が左頬に楽に届くようになる。
ヘッド５２０の片側部分が左頬に楽に届くようになれば美容処理の際に手にかかる負担をさらに軽減することができる。
【０１１３】
（その他の実施形態）
次に図１９、図２０を用いてその他の実施形態にかかる美容処理装置５０３について説明する。図１９は美容処理装置５０３を示す斜視図である。図２０は図１９に示した美容処理装置５０３の一部を拡大して示す一部断面図である。以下の説明において第７実施形態ないし第９実施形態と重複する箇所には同一符号を示し、詳細な説明は省略する。
【０１１４】
図１９、図２０に示すようにこの実施形態の美容処理装置５０３はヘッド５２０を挟持する一対のヘッド挟持部５１４に第１マッサージ部材７００および第２マッサージ部材８００を備える。
なお、ヘッド５２０は電極端子５２１ａ、５２１ｂおよびＬＥＤ４０を備えるが、これらに換えてゲルマニウム部材４１５やトルマリン部材４１６（図６参照）を備えてもよい。
【０１１５】
また、ヘッド５２０の側面５２０ａは金属製の板部材を備えることもできる。金属製の板部材は熱移動によって使用者の体温を吸収し、肌をクールダウンさせるためのものである。
ヘッド挟持部５１４は空間９００を有している。空間９００には特に図示はしないがＬＥＤ４０を配置することも出来る。空間９００に配置されたＬＥＤ４０は、ヘッド５２０にゲルマニウム部材４１５やトルマリン部材４１６が配置された場合には、これらに光または発光により生じる熱を供給する。
トルマリン部材４１６がＬＥＤ４０からの熱を受けることで焦電効果が表れる。ゲルマニウム部材４１５はＬＥＤ４０からの光を受けることによって遠赤効果が促される。
【０１１６】
第１マッサージ部材７００はマッサージボール７１０およびボール収容部７２０から主に構成されている。
マッサージボール７１０は使用者の肌面上を転動する球状部材として機能する。マッサージボール７１０は例えば直径１６ｍｍの球体形状に形成される。なお、マッサージボール７１０の直径は６ｍｍに限定されず１０〜２０ｍｍの間で適宜の長さで形成できる。
マッサージボール７１０は、例えばステンレスで形成される。マッサージボール７１０は、一部が露出した状態でボール収容部７２０に回転可能に収容される。露出した一部は使用者の肌面に当接される。マッサージボール７１０の露出する一部はマッサージボール７１０の直径よりも縮径した部分である。
【０１１７】
ボール収容部７２０は略円柱形に形成され、一端部にマッサージボール７１０を収容するための円筒状の開口７２１を有する。ボール収容部７２０は例えばＡＢＳ樹脂で形成される。
ボール収容部７２０の他端部はヘッド挟持部５１４の外周面の形状と適応する形状に形成され、この他端部とヘッド挟持部５１４の外周面とを図示はしないねじなどで固定することでボール収容部７２０が美容処理装置５０３に取り付けられる。なお、ボール収容部７２０はヘッド挟持部５１４に一体的に形成することもできる。
ボール収容部７２０は開口７２１内にマッサージボール７１０と接続されるベアリング７２２、７２３を備える。
【０１１８】
開口７２１は壁部７２１ａおよび底部７２１ｂ、を有する。開口７２１の縁部はマッサージボール７１０の直径よりも縮径しており、マッサージボール７１０がボール収容部７２０から外れてしまうことを防止する。
ベアリング７２２は、開口７２１の壁部７２１ａ内に配置される。ベアリング７２３は開口７２１の底部７２１ｂに配置される。
以上のように構成された第１マッサージ部材７００は、マッサージボール７１０に力が加わるとマッサージボール７１０とベアリング７２２、７２３と間で回転がおきる。結果的にマッサージボール７１０が美容処理装置５０３に対して回転することになる。
【０１１９】
第２マッサージ部材８００はローラー部８１０およびローラー筐体８２０から主に構成されている。
ローラー部８１０は使用者の肌面上を一軸方向に転動する棒状部材として機能する。
ローラー部８１０は例えばＡＢＳ樹脂で形成され、このＡＢＳ樹脂上にプラチナ
メッキ、チタンメッキ、銀メッキ、アルミニウムメッキ処理などが施される。
ローラー部８１０は使用者の肌面に当接される当接部８１０ａとローラー筐体８２０に回転可能に挿入される軸部８１０ｂを有する。
【０１２０】
当接部８１０ａは例えば、直径１４ｍｍの略円筒状に形成され、一端部が半球状に形成されている。当接部８１０ａはマッサージボール７１０よりも小さな直径で形成される。なお、当接部８１０ａの直径は１４ｍｍに限定されず、マッサージボール７１０よりも小さな径であれば、８ｍｍ〜１８ｍｍの間で適宜の長さで形成できる。
当接部８１０ａの半球状に形成された一端部は縮径部として機能する。なお、当接部８１０ａの一端部の形状は半球状に限定されず、平面略台形状など種々の形で形成することもできる。
軸部８１０ｂは当接部８１０ａの他端部の略中央部から、当接部８１０ａと同軸的に突設されている。軸部８１０ｂの一端部はローラー筐体８２０に回転可能に挿入される。
このローラー筐体８２０に挿入される一端部は鍔部８１０ｃを備える。鍔部８１０ｃは軸部８１０ｂがローラー筐体８２０から抜けてしまうことを防止するためのものである。
【０１２１】
ローラー筐体８２０は例えばＡＢＳ樹脂で形成される。
ローラー筐体８２０の一端部はヘッド挟持部５１４の外周面の形状と適応する形状に形成され、この一端部がヘッド挟持部５１４の外周面とを図示はしないねじなどで固定されることでローラー筐体８２０が美容処理装置５０３に取り付けられる。
なお、ローラー筐体８２０はヘッド挟持部５１４と一体的に形成することもできる。
ローラー筐体８２０は貫通孔８２１およびベアリング８２２を有する。貫通孔８２１はローラー筐体８２０のヘッド挟持部５１４との対向面の略中央部から、反対側の面の略中央部にかけて貫通する孔である。
【０１２２】
貫通孔８２１には軸部８１０ｂが貫挿される。ベアリング８２２は貫通孔８２１内に配置される。
以上のように構成された第２マッサージ部材８００は、軸部８１０ｂと直交する方向の力が当接部８１０ａに加わると軸部８１０ｂとベアリング８２２との間で回転がおきる。結果的に軸部８１０ｂを軸として当接部８１０ａが美容処理装置５０３に対して回転することになる。
【０１２３】
次に以上のように構成された美容処理装置５０３の美容処理方法について説明する。
（第１マッサージ部材７００による美容処理）
使用者はグリップ５１０を握持してマッサージボール７１０を任意の肌面上で転動させる。このときマッサージボール７１０と使用者の肌の摩擦によって、マッサージボール７１０に力が加わる。結果的にベアリング７２２、７２３とマッサージボール７１０との間で回転がおき、マッサージボール７１０はボール収容部７２０で滑らかに回転する。
【０１２４】
マッサージボール７１０は肌面上を転動しながらツボなどを押圧して肌面に適度な刺激を与える。この刺激によって血行がよくなる。
マッサージボール７１０は球体形状なのでヘッド５２０に比べ、肌面との接点が小さいため、ヘッド５２０ではマッサージできない箇所（例えば目の周囲など）にもツボ押しによる美容処理を施すことができる。
ステンレスで形成されたマッサージボール７１０はヘッド５２０に比べ使用者の肌面の熱をより多く吸収する。この熱の吸収によって使用者の肌をクールダウンさせることができ、このクールダウンにより美容処理効果が増す。
【０１２５】
（第２マッサージ部材８００による美容処理）
使用者はグリップ５１０を握持してローラー部８１０の当接部８１０ａを任意の肌面上に押し当てる。使用者が当接部８１０ａの回転方向に美容処理装置５０３を動かすことで軸部８１０ｂとベアリング８２２との間で回転がおきてローラー部８１０が回転する。
ローラー部８１０は肌面上を転動しながらツボなどを押圧して肌面に適度な刺激を与える。この刺激によって血行がよくなる。
ローラー部８１０はマッサージボール７１０よりも縮径しているのでマッサージボール７１０では美容処理を行えない箇所（例えば、目元や目袋など）にもツボ押しによる美容処理を施すことができる。
【０１２６】
さらに、ローラー部８１０が回転しない方向に美容処理装置５０３を動かすことで使用者の肌を引っ張る（押し上げる）ことができる。この動作はリフトアップと呼ばれる。リフトアップによってマッサージ効果が得られる。
この実施形態の美容処理装置５０３は、上記美容処理に加え、ヘッド５２０による美容処理も行うことができる。例えば、使用者の顔の美容処理を行う場合、まずヘッド５２０によって全体的にマッサージを行い、その後第１マッサージ部材７００を用いて肌のツボ押し、クールダウンを行う。
【０１２７】
仕上げとして、第２マッサージ部材８００によるリフトアップ、細かい箇所のツボ押しをおこなう。
ヘッド５２０、第１マッサージ部材７００、第２マッサージ部材８００を複合して使用することでより効果の高い美容処理を行うことができる。
【０１２８】
なお、この実施形態の美容処理装置５０３は、ヘッド挟持部５１４にそれぞれ第１マッサージ部材７００、第２マッサージ部材８００を取り付けたが、美容処理装置５０３の構成はこれに限定されることはない。
例えば、ヘッド挟持部５１４には第１マッサージ部材７００、第２マッサージ部材８００のいずれか一方のみを取り付けることもできる。
また、第１マッサージ部材７００または第２マッサージ部材８００を一対のヘッド挟持部５１４の一方にのみ取り付けるようにしてもよい。
【図面の簡単な説明】
【０１２９】
【図１】本発明の第１実施形態の美容処理装置１００の分解図である。
【図２】図１の美容処理装置１００の拡大斜視図である。
【図３】電流の流れを示す図である。
【図４】第２実施形態の美容処理装置２００のグリップ２１０を一部断面で示す概略図である。
【図５】第３実施形態の美容処理装置３００のヘッド３０の平面図である。
【図６】第４の実施形態にかかる美容処理装置４００の分解図である。
【図７】美容処理装置４００のグリップ４４０に支持部材４３０を装着して示す拡大斜視図である。
【図８】美容処理装置４００のグリップ４４０の内部構造を示す断面図である。
【図９】グリップ４４０に設けられる電力発生部４５０の変形例を示す一部断面図である。
【図１０】図９の電力発生部４５０の一部分の配置間系を示す概念図である。
【図１１】図９の発電方法を示す概念図である。
【図１２】図９のグリップの変形例を示す平面図である。
【図１３】美容処理装置５００の斜視図である。
【図１４】美容処理装置５００のヘッド５２０の内部を示す斜視図である。
【図１５】美容処理装置５００のヘッド５２０の配置を示す断面図である。
【図１６】美容処理装置５００の回路図を示す概念図である。
【図１７】美容処理装置５０１のヘッド５２０を示す一部断面図である。
【図１８】美容処理装置５０２を示す斜視図である。
【図１９】美容処理装置５０３を示す斜視図である。
【図２０】図１９の美容処理装置５０３の一部断面図である。
【符号の説明】
【０１３０】
１０，２１０，４４０，５１０，５１０a…グリップ、１１，５１１，６１１…握持部、１２，２３０，４３０，５２２…支持部材、１３，４２１，４３１，５２３，７２２，７２３，８２２…ベアリング、２０…コイルユニット、３０，４１０，５２０…ヘッド、３１，２１１，２１２…孔、３２，４１２…取付孔、３３…充電池、３４…永久磁石、３５…ブラシ、４０…ＬＥＤ、１００，２００，３００，４００，４０１，４０２，５００，５０１，５０２，５０３…美容処理装置、２１４，４４２…空間、２２０…動力伝達機構、２２１…握りバー、２２２…復帰バネ、２２３…ラック、２２４…歯部、２３１，４３２，４５１，４５２…ギア、２４０…ギア部、２４１…ピニオンギア、２４２…中間ギア、２４３…ラチェットギア、２４４…支持部材回転ギア、２４５…一方向クラッチ、３１０，５２１ａ，５２１ｂ…電極端子、３１１…パルス電流発生装置、４１１，４７１ａ…孔部、４１３…溝部、４１４…支持部材取付け部、４１５…ゲルマニウム部材、４１６…トルマリン部材、４２０…ヘッド被嵌部材、４４１…グリップ嵌挿孔、４４３…ベアリング孔、４５０，４５０ａ，４５０ｂ…電力発生部、４５３…シャフト、４５４…ギアボックス、４５５…発電モータ、４５６…電気回路基板、４５７，４５８…導線、４７０…圧電バイモルフ、４７１…回転カム、４７２…圧電バイモルフ取付部、４７３…バネ、４７４…ハブ、４７５…圧電バイモルフ接続部、５１２…直交部、５１３…スイッチ、５１４…ヘッド挟持部、５２０ａ〜５２０ｆ…側面、５２４…発電部、５２５ａ〜５２５ｄ…電極、５２６ａ〜５２６ｄ…電気接点部、５２７…導線、５２８…筐体、５２９ａ〜５２９ｄ…接触部、５３０ａ，５３０ｂ…抵抗、５３１ａ，５３１ｂ…ツェナーダイオード、５３２…コンデンサ、５４０…第１の閉回路、５４１…第２の閉回路、５４２…第３の閉回路、７００…第１のマッサージ部材、７１０…マッサージボール、７２０…ボール収容部、７２１…開口、７２１ａ…壁部、７２１ｂ…底部、８００…第２のマッサージ部材、８１０…ローラー部、８１０ａ…当接部、８１０ｂ…軸部、８１０ｃ…鍔部、８２０…ローラー筐体、８２１…貫通孔、９００…空間。
【図１】
2008264507.tif 000003
【図２】
2008264507.tif 000004
【図３】
2008264507.tif 000005
【図４】
2008264507.tif 000006
【図５】
2008264507.tif 000007
【図６】
2008264507.tif 000008
【図７】
2008264507.tif 000009
【図８】
2008264507.tif 000010
【図９】
2008264507.tif 000011
【図１０】
2008264507.tif 000012
【図１１】
2008264507.tif 000013
【図１２】
2008264507.tif 000014
【図１３】
2008264507.tif 000015
【図１４】
2008264507.tif 000016
【図１５】
2008264507.tif 000017
【図１６】
2008264507.tif 000018
【図１７】
2008264507.tif 000019
【図１８】
2008264507.tif 000020
【図１９】
2008264507.tif 000021
【図２０】
2008264507.tif 000022